(57)【要約】【課題】次回の電源オン時における起動の迅速化と電源電力の消費の防止とを両立することが可能な情報処理装置を提供する。【解決手段】起動時に用いられる起動用情報を記憶するＲＡＭ３と、電源をオフとするためのオフ要求を受け付ける操作部１と、電源をオフとしたのち既定時間が経過するまでに電源のオン要求が受け付けられる条件として設定された条件が満たされているか否かを判定する判定部２と、オフ要求を受け付けたタイミングにおいて上記条件が満たされていると判定されたとき、ＲＡＭ３に起動用情報を記憶している状態を維持させたまま電源をオフとするオフ部４と、を備える。【選択図】図２
2014130508.tif 000002
【特許請求の範囲】
【請求項１】
起動時に用いられる起動用情報を揮発的に記憶する記憶手段と、
電源をオフとするためのオフ要求を受け付ける受付手段と、
前記電源をオフとしたのち予め設定された時間が経過するまでに前記電源をオンとするためのオン要求が受け付けられる条件として予め設定された条件が満たされているか否かを判定する判定手段と、
前記オフ要求を受け付けたタイミングにおいて前記判定手段により前記条件が満たされていると判定されたとき、前記記憶手段に前記起動用情報を記憶している状態を維持させたまま、前記電源をオフとするオフ手段と、
を備えることを特徴とする情報処理装置。
【請求項２】
請求項１に記載の情報処理装置において、
当該情報処理装置の現在位置を取得する位置取得手段を更に備え、
前記条件は、前記タイミングにおける前記現在位置が予め設定された施設に対応する位置であるか否かであり、
前記オフ手段は、前記タイミングにおいて前記現在位置が前記施設に対応する前記位置であったとき、前記記憶手段に前記起動用情報を記憶している状態を維持させたまま、前記電源をオフとすることを特徴とする情報処理装置。
【請求項３】
請求項１に記載の情報処理装置において、
現在時刻を取得する時刻取得手段を更に備え、
前記条件は、前記タイミングが前記情報処理装置の利用頻度が高い時間帯として予め設定された時間帯内であるか否かであり、
前記オフ手段は、前記タイミングが前記予め設定された時間帯内であるとき、前記記憶手段に前記起動用情報を記憶している状態を維持させたまま、前記電源をオフとすることを特徴とする情報処理装置。
【請求項４】
請求項１から請求項３のいずれか一項に記載の情報処理装置において、
前記オフ手段による前記電源のオフ後に前記記憶手段に電力を供給するバッテリ手段の残量を検出する検出手段と、
前記残量が予め設定された閾値残量以下となったとき、前記オフ手段により前記電源がオフとされたのちの前記記憶手段における前記起動用情報を消去する消去手段と、
を更に備えることを特徴とする情報処理装置。
【請求項５】
請求項１から請求項４のいずれか一項に記載の情報処理装置において、
前記情報処理装置の利用が再開される予定である再開予定時刻を示す予定時刻情報を取得する時刻情報取得手段と、
現在時刻を取得する時刻取得手段と、
を更に備え、
前記オフ手段は、前記記憶手段に前記起動用情報を記憶している状態を維持させないで前記電源がオフとされた場合において、前記取得された現在時刻が前記再開予定時刻前の予め設定された時刻になったとき、前記電源をオンとして前記起動用情報を前記記憶手段に記憶させたのち、当該記憶手段に当該起動用情報を記憶している状態を維持させたまま前記電源を再度オフとすることを特徴とする情報処理装置。
【請求項６】
請求項１から請求項５のいずれか一項に記載の情報処理装置において、
前記オン要求を受け付けたタイミングにおいて、前記記憶手段に前記起動用情報が記憶されているか否かを判定する状態判定手段と、
前記記憶手段に前記起動用情報が記憶されていると判定された場合に、当該起動用情報を用いて前記情報処理装置を起動する起動手段と、
を更に備えることを特徴とする情報処理装置。
【請求項７】
起動時に用いられる起動用情報を揮発的に記憶する記憶手段を備える情報処理装置において実行される情報処理方法において、
前記情報処理装置の電源をオフとするためのオフ要求を受け付ける受付工程と、
前記電源をオフとしたのち予め設定された時間が経過するまでに前記電源をオンとするためのオン要求が受け付けられる条件として予め設定された条件が満たされているか否かを判定する判定工程と、
前記オフ要求を受け付けたタイミングにおいて前記条件が満たされていると判定されたとき、前記記憶手段に前記起動用情報を記憶している状態を維持させたまま、前記電源をオフとするオフ工程と、
を含むことを特徴とする情報処理方法。
【請求項８】
起動時に用いられる起動用情報を揮発的に記憶する記憶手段を備える情報処理装置に含まれるコンピュータを、
前記情報処理装置の電源をオフとするためのオフ要求を受け付ける受付手段、
前記電源をオフとしたのち予め設定された時間が経過するまでに前記電源をオンとするためのオン要求が受け付けられる条件として予め設定された条件が満たされているか否かを判定する判定手段、及び、
前記オフ要求を受け付けたタイミングにおいて前記条件が満たされていると判定されたとき、前記記憶手段に前記起動用情報を記憶している状態を維持させたまま、前記電源をオフとするオフ手段、
として機能させることを特徴とする情報処理用プログラム。
【発明の詳細な説明】
【技術分野】
【０００１】
本願は、情報処理装置、情報処理方法及び情報処理用プログラムの技術分野に属する。より詳細には、次回の起動に用いられる起動用情報を不揮発的に記憶したままその電源をオフにする（いわゆるサスペンド状態とする）ことが可能な情報処理装置及び当該情報処理装置における情報処理方法並びに当該情報処理装置用のプログラムの技術分野に属する。
【背景技術】
【０００２】
近年一般化しているパーソナルコンピュータ、スマートフォン、携帯型無線電話機及びカーナビゲーション装置のいずれにおいても、電源がオフとされている状態から電源が投入されて使用可能状態となるまでのいわゆる起動時間は、短いほどよいとされる。このための技術の一つとして、上記起動に用いられる起動用情報を揮発性のメモリに記憶させた状態を維持したまま電源をオフとし、その後の起動時には当該メモリに記憶されている起動用情報を用いて高速に起動することが行われている。この場合の揮発性のメモリとは、例えばいわゆるＤＲＡＭ（Dynamic Random Access Memory）等である。このような従来技術を開示している文献としては、下記特許文献１がある。この特許文献１に開示されている技術では、電源又は電池が充電状態にあるか否かに応じて、いわゆるサスペンド機能を用いて電源をオフとするか、或いはいわゆるハイパネーション機能を用いて電源をオフとするか、を選択する構成とされている。
【先行技術文献】
【特許文献】
【０００３】
【特許文献１】特開２００７−００４２２９号公報
【発明の概要】
【発明が解決しようとする課題】
【０００４】
しかしながら、上記特許文献１に記載されている技術では、電池等が充電中であるか否かにより電源をオフとする際の機能を選択する構成であるため、電池等が充電中でないタイミングでは機能せず、結果として次回の起動も遅くなってしまうという問題点がある。
【０００５】
また、上記揮発性のメモリに起動用情報を記憶された状態を維持したまま電源をオフとした場合、当該メモリに対して必要最小限の電源電力を供給する必要があり、特に電池駆動の装置である場合は不要な電力消費をきたすことになるという問題点もあった。
【０００６】
そこで本願は、上記の各問題点に鑑みて為されたもので、その課題の一例は、次回の電源オン時における起動の迅速化と電源電力の消費の防止とを両立することが可能な情報処理装置及び当該情報処理装置における情報処理方法並びに当該情報処理装置用のプログラムを提供することにある。
【課題を解決するための手段】
【０００７】
上記の課題を解決するために、請求項１に記載の発明は、起動時に用いられる起動用情報を揮発的に記憶する記憶手段と、電源をオフとするためのオフ要求を受け付ける受付手段と、前記電源をオフとしたのち予め設定された時間が経過するまでに前記電源をオンとするためのオン要求が受け付けられる条件として予め設定された条件が満たされているか否かを判定する判定手段と、前記オフ要求を受け付けたタイミングにおいて前記判定手段により前記条件が満たされていると判定されたとき、前記記憶手段に前記起動用情報を記憶している状態を維持させたまま、前記電源をオフとするオフ手段と、を備える。
【０００８】
上記の課題を解決するために、請求項７に記載の発明は、起動時に用いられる起動用情報を揮発的に記憶する記憶手段を備える情報処理装置において実行される情報処理方法において、前記情報処理装置の電源をオフとするためのオフ要求を受け付ける受付工程と、前記電源をオフとしたのち予め設定された時間が経過するまでに前記電源をオンとするためのオン要求が受け付けられる条件として予め設定された条件が満たされているか否かを判定する判定工程と、前記オフ要求を受け付けたタイミングにおいて前記条件が満たされていると判定されたとき、前記記憶手段に前記起動用情報を記憶している状態を維持させたまま、前記電源をオフとするオフ工程と、を含む。
【０００９】
上記の課題を解決するために、請求項８に記載の発明は、起動時に用いられる起動用情報を揮発的に記憶する記憶手段を備える情報処理装置に含まれるコンピュータを、前記情報処理装置の電源をオフとするためのオフ要求を受け付ける受付手段、前記電源をオフとしたのち予め設定された時間が経過するまでに前記電源をオンとするためのオン要求が受け付けられる条件として予め設定された条件が満たされているか否かを判定する判定手段、及び、前記オフ要求を受け付けたタイミングにおいて前記条件が満たされていると判定されたとき、前記記憶手段に前記起動用情報を記憶している状態を維持させたまま、前記電源をオフとするオフ手段、として機能させる。
【図面の簡単な説明】
【００１０】
【図１】実施形態に係る情報処理装置の概要構成を示すブロック図である。
【図２】実施例に係るナビゲーション装置の概要構成を示すブロック図である。
【図３】実施例に係る電源管理処理を示すフローチャートであり、（ａ）は終了処理を示すフローチャートであり、（ｂ）は開始処理を示すフローチャートであり、（ｃ）は第１割込処理を示すフローチャートであり、（ｄ）は第２割込処理を示すフローチャートである。
【発明を実施するための形態】
【００１１】
次に、本願を実施するための形態について、図１を用いて説明する。なお図１は、実施形態に係る情報処理装置の概要構成を示すブロック図である。
【００１２】
図１に示すように、実施形態に係る情報処理装置Ｓは、受付手段１と、判定手段２と、揮発性の記憶手段３と、オフ手段４と、により構成されている。
【００１３】
この構成において記憶手段３は、情報処理装置Ｓの起動時に用いられる起動用情報を揮発的に記憶する。
【００１４】
一方受付手段１は、情報処理装置Ｓの電源をオフとするための例えば使用者によるオフ要求を受け付ける。
【００１５】
また判定手段２は、情報処理装置Ｓの電源をオフとしたのち予め設定された時間が経過するまでに当該電源をオンとするためのオン要求が受け付けられる条件として予め設定された条件が満たされているか否かを判定する。
【００１６】
これらによりオフ手段４は、上記オフ要求を受け付けたタイミングにおいて判定手段２により上記条件が満たされていると判定されたとき、記憶手段３に起動用情報を記憶している状態を維持させたまま、情報処理装置Ｓの電源をオフとする。
【００１７】
以上説明したように、実施形態に係る情報処理装置Ｓの動作によれば、情報処理装置Ｓの電源のオフ要求を受け付けたタイミングにおいて、規定時間経過までにオン要求が受け付けられる既定条件が満たされていると判定されたとき、揮発性の記憶手段３に起動用情報を記憶している状態を維持させたまま電源をオフとする。よって、再度の電源オン時における起動の迅速化と電源電力の消費の防止とを両立することができる。
【実施例】
【００１８】
次に、上述した実施形態に対応する具体的な実施例について、図２及び図３を用いて説明する。なお以下に説明する実施例は、人又は車両等の移動を案内するナビゲーション装置における電源管理に対して実施形態を適用した場合の実施例である。
【００１９】
また、図２は実施例に係るナビゲーション装置の概要構成を示すブロック図であり、図３は実施例に係る電源管理処理を示すフローチャートである。このとき図２では、図１に示した実施形態に係る情報処理装置Ｓにおける各構成部材に対応する実施例の構成部材それぞれについて、当該情報処理装置Ｓにおける各構成部材と同一の部材番号を用いている。
【００２０】
図２に示すように、実施例に係るナビゲーション装置ＮＶは、操作ボタン又はカーソル移動部或いはリモコン等からなる受付手段１の一例としての操作部１と、判定手段２の一例としての判定部２及びオフ手段４の一例としてのオフ部４を備える処理部１０と、記憶手段３の一例としての揮発性のＲＡＭ３と、本願に係る「位置取得手段」の一例としてのセンサ部１１と、液晶ディスプレイ等からなる表示部１２と、案内用の音声等が出力されるスピーカ１３と、上記案内時に表示部１２に表示される地図に相当する地図データ等を不揮発性に記憶する地図データ記憶部１４と、ナビゲーション装置ＮＶの電源がオフとされている間に例えばＲＡＭ３に対してデータ維持用の電源電力を供給する二次電池であり且つ本願に係る「バッテリ手段」の一例としてのバッテリ１５と、ＲＯＭ（Read Only Memory）１６と、により構成されている。この構成において判定部２及びオフ部４は、処理部１０を構成する図示しないＣＰＵが、後述する電源管理処理を示すフローチャートに相当するプログラムを例えばＲＯＭ１６から読み出して実行することにより、機能的に実現されるものであってもよい。また、上記操作部１、上記判定部２、上記ＲＡＭ３及び上記オフ４により、実施形態に係る情報処理装置Ｓに対応する実施例が構成されることになる。
【００２１】
この構成においてセンサ部１１は、ＧＰＳ（Global Positioning System）を用いることにより又は自立的にナビゲーション装置ＮＶが搭載されている例えば車両の現在位置、移動速度及び移動方向を検出して、その結果を処理部１０に出力する。これにより処理部１０は、センサ部１１から出力された結果に基づき、地図データ記憶部１４に記憶されている地図データを用いた地図を表示部１２に表示すると共に必要な案内音声をスピーカ１３から出力しつつ、ナビゲーション装置ＮＶとしての案内処理を実行する。このとき処理部１０は、操作部１を用いた使用者によるオン／オフ操作又は目的地や経路設定操作等の操作に基づき、必要なデータ又はプログラム等をＲＡＭ３及びＲＯＭ１６との間で授受しつつ、当該案内処理を実行する。
【００２２】
一方バッテリ１５は、ナビゲーション装置ＮＶとしての電源がオフとされたのち、ＲＡＭ３等における必要なデータ又は情報の記憶状態を維持するために必要な電力を、処理部１０を介してＲＡＭ３に供給する。このとき処理部１０は、バッテリ１５の残量を逐次検出可能とされている。
【００２３】
ここで、ＲＡＭ３が初期化される場合、即ちＲＡＭ３に記憶させておくべきデータ等がない場合、バッテリ１５からＲＡＭ３への電力供給は不要となり、よってこの場合にバッテリ１５の残量の減少は抑制されることになる。これに対して、ＲＡＭ３に何らかのデータ等を記憶させておくべき場合、バッテリ１５からのＲＡＭ３への電力供給が必要となり、よってこの場合にはバッテリ１５の残量は徐々に減少していくことになる。
【００２４】
これらに加えて、処理部１０内の判定部２及びオフ部４は、操作部１における使用者による上記オン／オフ操作に基づき、ナビゲーション装置ＮＶとしての実施例に係る電源管理処理を実行する。
【００２５】
次に、処理部１０の判定部２及びオフ部４を中心とした実施例に係る電源管理処理について、具体的に図２及び図３を用いて説明する。
【００２６】
実施例に係る電源管理処理として処理部１０のオフ部４は、ナビゲーション装置ＮＶに対する電源電力の供給中（即ち例えば上記案内処理中）においては、図３（ａ）に示すように、操作部１において当該電源のオフ操作が行われたか否かを監視している（ステップＳ１）。ステップＳ１の監視においてオフ操作が行われていない場合（ステップＳ１；ＮＯ）、オフ部４は当該監視を継続する。一方ステップＳ１の監視においてオフ操作が為された場合（ステップＳ１；ＹＥＳ）、その時点において処理部１０の判定部２は、オフ操作により電源がオフとされたのち予め設定された時間が経過するまでに再び電源のオン操作が操作部１において為される条件として予め設定された条件が満たされているか否かを判定する（ステップＳ２）。ステップＳ２の判定において当該条件が満たされている場合（ステップＳ２；ＹＥＳ）、オフ部４は次回のオン操作に伴う起動方式を「ＲＡＭ使用起動」として設定する（ステップＳ３）と共に、当該起動に用いられる起動用情報（具体的には、ナビゲーション装置ＮＶの起動時において処理部１０を構成する上記ＣＰＵに読み出されるべき各種の情報）をＲＡＭ４に記憶させた状態を維持しつつ（ステップＳ４）、必要な終了処理を実行して（ステップＳ５）、ナビゲーション装置ＮＶの電源をオフとする。なおこの場合には、ＲＡＭ３に上記記憶情報が記憶されている状態を維持する必要があるため、バッテリ１５からＲＡＭ３への電力供給が必要となり、これによりバッテリ１５の残量は徐々に減少していくことになる。
【００２７】
一方、上記ステップＳ２の判定において当該条件が満たされていない場合（ステップＳ２；ＮＯ）、オフ部４は次回のオン操作に伴う起動方式を「ＲＡＭ非使用起動」として設定する（ステップＳ６）。そして、この場合にはＲＡＭ３に上記起動用情報を記憶／維持させておく必要はないため、オフ部４はＲＡＭ３を初期化し（ステップＳ７）、その後上記ステップＳ５の処理に移行してナビゲーション装置ＮＶの電源をオフとする。なおこの場合には、バッテリ１５からのＲＡＭ３への電力供給は不要となり、バッテリ１５の残量の減少は抑制される。
【００２８】
ここで上記ステップＳ２の判定に係る上記「予め設定された条件」としては、以下の条件が例示される。
（１）第１条件；操作部１においてオフ操作が為されたタイミングにおけるナビゲーション装置ＮＶの現在位置（換言すれば、当該ナビゲーション装置ＮＶが搭載されている車両等の現在位置）が、オフとされた電源がすぐにオンとされると予測される既定の施設に隣接する位置であるか否か。この場合の施設及びそれに隣接する位置とは、例えばコンビニエンスストアの正面又はその駐車場内の位置、自動販売機の正面の位置、或いはビデオ等のレンタルショップの正面又はその駐車場内の位置等が該当する。また上記施設及びそれに隣接する位置以外の位置とは、例えば自宅や空港の駐車場等、長時間に渡って車両等が停止することにより、ナビゲーション装置ＮＶの電源も長時間に渡ってオフとされ得る施設及び位置等が該当する。
（２）第２条件；操作部１においてオフ操作が為されたタイミングが、オフとされた電源がすぐにオンとされると予測される時間帯内であるか否か。この場合の時間帯とは、例えば午前９時から午後６時までの時間帯や、或いは一般的に昼間の時間帯が該当する。
【００２９】
そして上記第１条件により上記ステップＳ２の判定を行う場合、判定部２は、センサ部１１において検出された現在位置と地図データ記憶部１４に記憶されている地図データとを比較して、当該現在位置が上記施設に隣接する位置か否かを判定する。そして判定部２は、当該現在位置が上記施設に隣接する位置である場合には（ステップＳ２；ＹＥＳ）上記ステップＳ３の処理に移行し、当該現在位置が上記施設に隣接する位置以外の位置である場合には（ステップＳ２；ＮＯ）上記ステップＳ６の処理に移行する。
【００３０】
一方、上記第２条件により上記ステップＳ２の判定を行う場合、判定部２は、本願に係る「時刻取得手段」の一例としての処理部１０内の図示しないタイマから現在時刻を示す情報を取得し、その情報により示される現在時刻が上記時間帯内であるか否かを判定する。そして判定部２は、現在時刻が上記時間帯内である場合には（ステップＳ２；ＹＥＳ）上記ステップＳ３の処理に移行し、現在時刻が上記時間帯外である場合には（ステップＳ２；ＮＯ）上記ステップＳ６の処理に移行する。
【００３１】
他方、図３（ａ）に示した処理に対して、ナビゲーション装置ＮＶの電源がオフとされている間においてオフ部４は、図３（ｂ）に示すように、操作部１において当該電源のオン操作が行われたか否かを監視している（ステップＳ１０）。ステップＳ１０の監視においてオン操作が行われていない場合（ステップＳ１０；ＮＯ）、オフ部４は当該監視を継続する。一方ステップＳ１０の監視においてオン操作が為された場合（ステップＳ１０；ＹＥＳ）、処理部１０は、本願に係る「状態判定手段」の一例として、その時点においてナビゲーション装置ＮＶの起動方式が「ＲＡＭ使用起動」に設定されているか否かを判定する（ステップＳ１１。図３（ａ）ステップ３参照）。ステップＳ１１の判定において起動方式がＲＡＭ使用起動に設定されている場合（ステップＳ１１；ＹＥＳ）、本願に係る「起動手段」の一例として処理部１０は、ＲＡＭ３に記憶されているはずの上記起動用情報を当該ＲＡＭ３から読み出して用いることにより、高速にナビゲーション装置ＮＶを起動させる（ステップＳ１２）。他方、ステップＳ１１の判定において起動方式がＲＡＭ非使用起動に設定されている場合（ステップＳ１１；ＮＯ。図３（ａ）ステップ６参照）、処理部１０はＲＡＭ３を用いずにナビゲーション装置ＮＶを起動させる（ステップＳ１３）。なお、このステップＳ１３の起動方式による起動は、ステップＳ１２に係るＲＡＭ３内の起動用情報を用いた起動法式による起動よりは時間がかかることになる。
【００３２】
次に、実施例に係る電源管理処理において例えば所定時間毎に実行される割込処理について、具体的に図３（ｃ）及び図３（ｄ）を用いて説明する。なお図３（ｃ）及び図３（ｄ）において、図３（ａ）又は図３（ｂ）に示すフローチャートにおける処理と同一の処理には同一のステップ番号を付して、細部の説明は省略する。
【００３３】
先ず第１割込処理として処理部１０は、本願に係る「検出手段」の一例として、図３（ｃ）に示すように、バッテリ１５の残量が予め設定された閾値残量以下となったか否かを監視している（ステップＳ２０）。ステップＳ２０の監視において当該残量が閾値残量以下となっていない場合（ステップＳ２０；ＮＯ）、処理部１０は第１割込処理を終了する。一方ステップＳ２０の監視において当該残量が閾値残量以下となっている場合（ステップＳ２０；ＹＥＳ）、処理部１０は、上記ステップＳ６と同一の処理を実行して次回の電源のオン操作に伴う起動方式を「ＲＡＭ非使用起動」として設定し、更に本願に係る「消去手段」の一例としてＲＡＭ３を初期化し（ステップＳ７）、第１割込処理を終了する。なお上記第１割込処理は、次回の起動方式がＲＡＭ使用起動に設定されてナビゲーション装置ＮＶの電源がオフとされた後に実行するように構成してもよいし、ナビゲーション装置ＮＶの起動中においてバッテリ１５の残量を監視しつつ実行するように構成してもよい。
【００３４】
次に第２割込処理として処理部１０は、本願に係る「時刻情報取得手段」の一例として、図３（ｄ）に示すように、ＲＡＭ非使用起動の起動方式が設定された後にナビゲーション装置ＮＶの電源がオフとされている期間の所定時間毎に、予め使用者により設定されて例えば地図データ記憶部１４又はＲＯＭ１６内に不揮発性に記憶されていた乗車予定時刻から所定時間遡った時刻が到来したか否かを、例えば図示しないタイマにおける計時を参照しつつ判定する（ステップＳ３０）。なおこの場合の遡りの時間は、例えば数分乃至十数分程度が考えられる。ステップＳ３０の判定において当該時刻が到来していない場合（ステップＳ３０；ＮＯ）、処理部１０は第２割込処理を終了する。一方ステップＳ３０の判定において当該時刻が到来した場合（ステップＳ３０；ＹＥＳ）、処理部１０はナビゲーション装置ＮＶの電源をオンとして当該ナビゲーション装置ＮＶを一時的に起動し（ステップＳ３１）、その後上記ステップＳ３と同一の処理を実行して次回のオン操作に伴う起動方式を「ＲＡＭ使用起動」として設定し、更に当該起動に用いられる上記起動用情報をＲＡＭ４に記憶させた状態を維持しつつ（ステップＳ４）、必要な終了処理を実行して（ステップＳ５）、第２割込処理を終了する。
【００３５】
なおこの第２割込処理に関連する他の電源管理処理としては、ナビゲーション装置ＮＶ自体のこれまでの使用履歴等を記憶しておいてこれを参照することで、例えば、平日の起動方式は常にＲＡＭ使用起動と設定すると共に休日の起動方式をＲＡＭ非使用起動と設定するように構成することもできる。また同様に、休日のみナビゲーション装置ＮＶを利用するいわゆるホリデードライバーを対象とする意味で、例えば土曜日の早朝などにおける起動方式のみをＲＡＭ使用起動に設定するように構成できる。
【００３６】
以上それぞれ説明したように、実施例に係る電源管理処理によれば、ナビゲーション装置ＮＶの電源のオフ操作が為されたタイミングにおいて、上記第１条件又は上記第２条件が満たされていると判定されたとき、ＲＡＭ３に起動用情報を記憶している状態を維持させたまま当該電源をオフとする。よって、再度の電源オン時における起動の迅速化と電源電力の消費の防止とを両立することができる。このとき、上記第１条件を用いる場合は、短時間で電源が再度オンとされる可能性のある位置での当該オン後の起動を迅速化することができる。一方上記第２条件を用いる場合は、短時間で電源が再度オンとされる可能性のある時間帯での当該オン後の起動を迅速化することができる。
【００３７】
また、上記第１割込処理によれば、起動用情報を記憶させたままの電源オフ後にバッテリ１５における電力の残量が既定の閾値残量以下となったとき、電源がオフとされたのちのＲＡＭ３における起動用情報を消去するので、バッテリ１５の消耗を抑制することができる。
【００３８】
更に、上記第２割込処理によれば、ＲＡＭ３を初期化して電源がオフとされた場合において、乗車予定時刻前の既定の時刻になったとき、電源を一旦オンとして起動用情報をＲＡＭ３に記憶させたのち、当該起動用情報を記憶している状態を維持させたまま電源を再度オフとするので、乗車予定時刻におけるナビゲーション装置ＮＶの起動を、起動用情報を用いて迅速化することができる。
【００３９】
更にまた、電源のオン操作が為されたタイミングにおいて起動用情報がＲＡＭ３に記憶されていると判定された場合に、当該起動用情報を用いてナビゲーション装置ＮＶを起動するので、ナビゲーション装置ＮＶを迅速に起動することができる。
【００４０】
なお、上述した実施例では、実施形態に係る情報処理装置Ｓに対応する構成を含むナビゲーション装置ＮＶにおける電源管理処理について説明したが、本願はこれ以外に、カーオーディオ装置や携帯型の情報端末における電源管理処理に適用することも可能である。
【００４１】
また、図３にそれぞれ示したフローチャートに相当するプログラムを、フレキシブルディスク又はハードディスク等の記録媒体に記録しておき、或いはインターネット等のネットワークを介して取得しておき、これらを汎用のマイクロコンピュータ等に読み出して実行することにより、当該マイクロコンピュータ等を実施例に係る処理部１０として機能させることも可能である。
【符号の説明】
【００４２】
１    受付手段（操作部）
２    判定手段（判定部）
３    記憶手段（ＲＡＭ）
４    オフ手段（オフ部）
１０    処理部
１１    センサ部
１５    バッテリ
Ｓ    情報処理装置
ＮＶ    ナビゲーション装置
【図１】
2014130508.tif 000003
【図２】
2014130508.tif 000004
【図３】
2014130508.tif 000005